(57)【要約】【課題】前述の温泉施設等では、配管路の老朽化が激しく又実地施工方法調査で既存配管の施工方法に、多くの問題点を発見した。一例として、配管の接続方法の不適切なために、強度不足な部分がある。本発明の循環式配管洗浄装置施工費削減のため高圧エア−ホ−スを洗浄目的の配管エア−打ち込み口まで移動させる、作業が必要であり、施設側の労務量を減少させたい。【解決手段】配管路の老朽化程度によっては、一部分の配管の取替えと補強により解決する。又エア−供給配管を強度のある材質により各エア−打ち込み口に、恒久取り付けとすることにより、又各エア−打ち込み口エア−供給を制御することにより解決する。【選択図】  図２
2005349374.tif 000002
【特許請求の範囲】
【請求項１】
循環式配管水路に充水状態で、管路全長を洗浄する装置。
【請求項２】
▲１▼において、管路の直管部分に高圧エア−を打ち込むためのエア−打ち込み用管は、軸芯に対して、かつ管軸に垂直な断面において法線となす角度をもつ方法とする。
【請求項３】
▲１▼において、管路に打ち込む高圧エア−を圧力、時間を制御するための装置を備えた管路洗浄装置。
【請求項４】
用水を循環使用する配管において、▲２▼の打ち込み口を有する専用管を要所に取り付けるとともに、空気加圧装置とその制御装置および接ホ−スを備える装置。
【発明の詳細な説明】
【技術分野】
【０００１】本発明は、循環式配管洗浄装置に関し、循環水を利用して、配管ラインの仕様変更と一部部品の取り付けと高圧エア−発生装置ユニットの設置に関するもの。【０００２】本発明は、循環式配管ラインの必要な部分に、高圧エア−を打ち込むための打ち込み口をもつ装置に関するもの。【０００３】管路に打ち込む高圧エア−の圧力、量、時間を制御するための装置に関するもの。
【背景技術】
【０００４】従来より配管洗浄は、（特許３５０１７９５）に有るよう管内に炭酸ガスおよび発泡剤を投入さらに洗浄管の種類によっては、専用治具を挿入して洗浄する方法と合わせて、薬剤投入と高圧水発生装置など、その装置の取り扱いと洗浄方法は、取り扱う専門的知識の必要性が条件とされる又洗浄後の清水による管内洗浄が必要であり薬剤使用による環境への影響も懸念される。【０００５】（特開２００３−０８８８２１）の配管洗浄では、総延長が長い配管ラインの洗浄には、適さず又管径の大きな施設では、無理である。【０００６】（特開２００３−６２５３３）（特開２００３−８０１９３）のように洗浄装置の構成として、高圧水と気体または圧縮エア−供給装置が必要であり特定管の洗浄装置である。【０００７】（特開２００２−２７３３６６）のように、洗浄液とガス圧を管内に挿入しさらに洗浄する管が小径管と限定される。【０００８】（実登２５０９４８８）のように、家庭用循環式風呂管の洗浄装置では洗浄できない口径の大きな全長の長い配管ラインには、実用できない。
【発明の開示】
【発明が解決しようとする課題】
【０００９】  従来より、配管洗浄装置と配管ライン内部の洗浄方法としては、高圧水ジェツト工法があるが配管の分解等工期が長く施工費用が多額である。又薬品洗浄工法は、施工費用が高額で特に、温泉施設・ス−パ−銭湯・ホテル・旅館・その他の大浴場施設においては、水質保全のため塩素及びレジオネラ属菌対策のため薬剤投入が義務化される中で薬害が懸念されます。本発明は特に、前記施設等の衛生管理の一環として、特に薬剤で殺菌も大切ではあるがそのレジオネラ属菌の生息域である管内に付着する人垢その他による生物膜バイオフィルムの除去が原点である。又冷泉・温泉に含まれる炭酸カルシウムやケイ酸マグネシウム泉質による物質が凝縮された。スケ−ルと呼ばれる物質を除去更に、だれでもが簡単に、取り扱え目的の配管の洗浄が簡単にしかも低コストで実施出来るのが目的である。更に、この配管洗浄装置は、設置後は、事業所の担当者で配管内洗浄を任意な時に実施する事ができる。
【課題を解決しようとする手段】
【００１０】前記課題を解決するために、既設施設の最適な場所に、高圧エア−コンプレッサ−とそれに、維ながるエア−タンクとエア−を取り出す量と時間を制御するためのシ−ケンサ−高圧エア−取り出し口カプラ−に接続されたエア−ホ−スをエア−打ち込み口に接続する。既存配管ラインには、エア−打ち込み口として、請求項３エア−打ち込み用管とソケットおよびカプラ−にて、構成される専用管を取り付け、この時既存配管ラインには、三方弁および多くの開閉バルブが設置されており洗浄目的管路以外の開閉弁は、閉とする。これは、洗浄効果を高めるためであり又高圧負荷をかけられない設備の保護の手段である。さらに必要な箇所には、排水口を設ける。本発明で最大の洗浄効果を出すためのポイントは、制御される高圧の量と作動時間に加えて高圧エア−により発生する気泡の破壊振動と高周波圧力と真空剥離効果が有効に作用する距離、一例２０〜３０ｍごとに高圧エア−打ち込み口を設ける。また制御される高圧の量と作動時間は、圧力７ｋｇ〜１５ｋｇ時間は間欠に打ち込み最大効果の間欠時間は、吐出４秒〜７秒停止時間は５秒〜１０秒とする。請求項３エア−打ち込み用管の打ち込み口の角度は、管軸芯に対して４５度以内、かつ管軸に垂直な断面において法線となす角度１５°〜６０°とする。
【発明を実施するための最良の形態】
【００１１】本発明による。洗浄装置と洗浄方法の最良の形態を詳細に説明する。
第１図は、図示する１０大露天風呂２０ヘア−キャチア−３０濾過機４０オイルヒ−タ−５０貯水槽４３．１１循環系統配管４２バルブおよび循環水の流れる方向を表わす。実在の温泉施設をモデルにした、温泉循環式配管の一部の全体概略図である。【００１２】第２図は、前記温泉配管に設置する場合の洗浄装置の設置と循環系統配管４３をモデルに洗浄方法について、表わす部分概略図である。４１のバルブを閉とする。４２を開として、１００高圧エア−供給コンプレッサ−によりエア−を充填されたエア−タンクと送る量と時間を制御する装置１０１から配管の直管部に取り付けたエア−打ち込み口付き専用管１０４に１０１のエア−取り出し口よりエア−ホ−ス１０３を１０４の打ち込み口に取り付け１０１の制御装置により運転を開始する。【００１３】第２図の制御装置１０１の運転実施例の概略を説明する。まずエア−打ち込み時間は、１運転サイクル合計時間２４０秒とする。詳細は、間欠打ち込み４秒停止５秒を１０サイクル運転後３０秒停止した後３０秒の連続運転後９０秒停止を１運転サイクル運転時間とする。【００１４】第３図は、制御装置によりコントロ−ルされた高圧エア−により発生する気泡破裂時の破壊振動と高周波圧力と真空剥離効果が配管内に作用して、レジオネラ属菌の生息域である管内に付着する人垢その他による生物膜バイオフイルム又冷泉・温泉に含まれる炭酸カルシウムやケイ酸マグネシウム泉質による物質が凝縮された。スケ−ルと呼ばれる管内洗浄目的である物質が取り除かれる状態を表わしたものである。【００１５】第４図は、エア−打ち込み口の角度により管内に起きる循環水の旋回流により管内の内部面を洗浄しているようすを表わしたものである。【００１６】第５図は、配管ラインの直管部取り付けるエア−打ち込み口付き専用管の概略図である。【００１７】第６図は、配管ラインの直管部取り付けるエア−打ち込み口付き専用管の断面概略図である。
【発明の効果】
【００１３】従来温泉施設・ス−パ−銭湯・ホテル・旅館・その他の大浴場施設では、配管路の洗浄は、年間２回程度分解高圧水洗浄と分解して薬剤による洗浄をして、後水洗いが主の洗浄でありしかも配管路全体の洗浄は、出来ず一部分の実施となっている。又施設の管路の総延長を、すべて実施するのは、その為に営業ができずに発生する収益の減少は多大である。しかも洗浄に掛かる費用も企業として、決して無視できない。本発明の装置と洗浄方法により管路の総延長を、すべて施設の任意な時に管路の洗浄ができる、洗浄業者への委託費用がなく経費削減と洗浄用水が不要最大のメリットは、洗浄のための専門知識を必要とせず自社による管洗浄でより衛生管理を向上することができる。
【図面の簡単な説明】第１図は、循環式配管温泉施設の概略図である。
第２図は、循環式配管温泉施設の配管洗浄実施のために、第１図の施設の一部を拡大した概略図である。
第３図は、配管内の洗浄される状態を示す概略図である。
第４図は、第３図配管断面図で洗浄される状態と旋回流を示す概略図である。
第５図は、エア−打ち込み口をもつ配管ラインに取り付ける専用管を示す概略図である。
第６図は、第５図の専用管断面図を示す概略図である。
【図面の符号の説明】
１０  大露天風呂
２０  ヘァ−キャッチヤ−
３０  浴槽循環式濾過装置
４０  オイル焚温水ヒ−タ−
５０  貯水槽
１００  高圧エア−供給コンプレッサ−
１０１  高圧エア−取り出し口付きエア−タンクと制御器
１０３  ドラム式エア−ホ−ス
１０４  エア−打ち込み口をもつ配管ラインに取り付ける専用管
２００  温泉冷泉供給配管
５００  上水供給配管
2005349374.tif 000003
１２  最終排水口
Ｐ    ポンプ
2005349374.tif 000004
【図１】
2005349374.tif 000005
【図２】
2005349374.tif 000006
【図３】
2005349374.tif 000007
【図４】
2005349374.tif 000008
【図５】
2005349374.tif 000009
【図６】
2005349374.tif 000010